(57)【要約】【課題】  カバー工法によって既設連窓サッシを新設単窓サッシに改装するとともに新設単窓サッシの下枠が既設の室内側額縁より上方に突出しないようにして開口の狭小化を防止する。【解決手段】  既設連窓サッシ１の連窓方立２０を既設下枠１３の網戸レール１８から水平にして内外一対の突出レール１７上を通過する線に沿って切断撤去して，その残存した下端部２３にバックアップ材６０を嵌挿配置し且つシーリング剤６１を充填して，該連窓方立撤去跡の水密措置を施し，該撤去跡を含めて新設単窓サッシの一体の新設下枠４０によって一連に被覆する。新設下枠４０は，下枠本体４１とブラケット５１の２部材構成とすることによって，該新設下枠４０の設置高さを抑制して，これが既設額縁２４の高さより低くなるように既設下枠１３の被覆を行って開口の狭小化を防止する。【選択図】  図１
2008063725.tif 000002
【特許請求の範囲】
【請求項１】
アルミ製の既設連窓サッシにおける中空の連窓方立を撤去して該既設連窓サッシにカバー工法によって同じくアルミ製の新設単窓サッシを設置した改装サッシにおける下枠装置であって，既設下枠表面の上端から上方に非突出状態に切断撤去することによって既設下枠間に中空部を上向きに開口して残存した上記連窓方立下端部と，該残存した連窓方立下端部の中空部にその開口上端を残すように嵌挿配置したバックアップ材と，該開口上端から中空部のバックアップ材上に充填したシーリング剤と，上記中空の連窓方立下端部を該連窓方立を挟んで配置した両側の既設下枠とともに一連に被覆して配置した新設単窓サッシの新設縦枠間一体の新設下枠とを備えてなることを特徴とする改装サッシの下枠装置。
【請求項２】
上記カバー工法による改装サッシにおける新設単窓サッシの新設下枠による既設連窓サッシの既設下枠に対する被覆を，上記新設下枠の上端突出高さを既設額縁と略同等乃至これより低くする新設下枠の突出高さ吸収措置を施して行ってなることを特徴とする請求項１に記載の改装サッシの下枠装置。
【請求項３】
上記新設下枠の突出高さ吸収措置を，上記新設下枠を，下枠本体と，室内側上位の額縁載置条及び室外側下位の支持条を具備したブラケットとの室内外幅方向に２部材構成とするとともにブラケットの額縁載置条を直接又は既設下枠既存の額縁載置条を介して既設額縁に載置固定する一方，該ブラケットの室外側下位の支持条上に下枠本体の幅方向室内側部分を載置固定し且つ該新設下枠の室外側下端部位を既設下枠又はその躯体に対接固定することによって既設下枠に対する新設下枠の被覆を水平に行ってなることを特徴とする請求項２に記載の改装サッシの下枠装置。
【請求項４】
上記連窓方立の切断撤去を，既設下枠の表面上端に沿って行ってなることを特徴とする請求項１，２又は３に記載の改装サッシの下枠装置。
【請求項５】
上記既設下枠の表面上端に沿った切断撤去を，既設下枠の室外側先端とその室内側に位置する突出レールの上端を通過して既設下枠の額縁載置条に至る線に沿って行ってなることを特徴とする請求項４に記載の改装サッシの下枠装置。
【発明の詳細な説明】
【技術分野】
【０００１】
本発明は改装サッシに関し，特にその下枠装置に関する。
【背景技術】
【０００２】
従前の鋼製サッシのアルミ製サッシへの改装に代えて，近時長年月を経たアルミ製の既設サッシを同じくアルミ製のサッシに改装するアルミ対アルミの改装サッシが求められており，本出願人は，これに沿って，例えば該アルミ対アルミの改装を行うについて，騒音や塵埃の発生を抑制しつつ可及的効率よく改装工事をなし得る長所を有する所謂カバー工法を採用しつつ，その欠点である開口部の狭小化を可及的に防止し得るようにした改装サッシを提案済みであり，これによると，既設下枠に対する被覆を，上記新設下枠の上端突出高さを既設額縁と略同等乃至これより低くする新設下枠の突出高さ吸収措置を施して行ったものとされ，このとき該突出高さ吸収措置は，その新設下枠を，下枠本体と，室内側上位の額縁載置条及び室外側下位の支持条を具備したブラケットとの室内外幅方向に２部材構成とするとともにブラケットの額縁載置条を直接又は既設下枠既存の額縁載置条を介して既設額縁に載置固定する一方，該ブラケットの室外側下位の支持条上に下枠本体の幅方向室内側部分を載置固定し且つ該新設下枠の室外側下端部位を既設下枠又はその躯体に対接固定することによって既設下枠に対する新設下枠の被覆を水平に行ったものとされている。
【０００３】
【特許文献１】特願２００５−３３４１４７号
【発明の開示】
【発明が解決しようとする課題】
【０００４】
この場合，既設下枠に加工を施すことなく，カバー工法によって新設下枠を設置しながら，カバー工法の欠点を解消して，窓開口部の狭小化を防止することができる。しかし既設サッシには，その開口部を幅方向複数に分割するように既設上下枠の長手方向中間にアルミ製中空の連窓方立を起立した，所謂連窓サッシがあり，この連窓サッシの改装には，窓開口幅を拡大することによって開口を単一のスパンとして単窓サッシとすることが求められることがある。連窓方立を残して新設サッシを連窓サッシとする場合は，該連窓方立にもカバー工法を適用すればよいが，単窓サッシとするには連窓方立が障害となるから，これを撤去する必要が生じるところ，連窓方立はその方立本体を目板によって塞いだ中空のものとされ，該方立本体が既設下枠との交差位置で既設下枠にネジ止めされているため，その目板を除去するに止まらず，ネジを外して方立本体を撤去するのは作業が煩雑となるとともに該連窓方立を撤去することによってその撤去跡が既設下枠間に開放されることになり，この状態で新設下枠を設置すると，既設下枠における連窓方立撤去部分の水密性が損なわれて改装サッシ性能を確保し得ない結果となる。
【０００５】
本発明はかかる事情に鑑みてなされたもので，その解決課題とするところは，構造が簡易にして改装工事を可及的効率的になし得るようにするとともに連窓方立撤去跡の高度な水密性を確保しながら，アルミ製の既設連窓サッシを同じくアルミ製の新設単窓サッシに改装することが可能な改装サッシの下枠装置を提供するにある。
【課題を解決するための手段】
【０００６】
上記課題に沿って本発明は，既設の連窓方立を撤去するについて，目板ごと又は目板を外した本体を既設下枠の上端から上方に非突出状態とするように切断撤去して，中空部を上向きに開口した下端部を既設下枠間に残存するとともに該残存した下端部の中空部にバックアップ材を嵌挿配置し且つ該バックアップ材上にシーリング剤を充填することによって，該中空部を密封するように封止し，該封止状態でその両側の既設下枠を，新設単窓サッシの新設縦枠間に一体の新設下枠によって一連に被覆することにより，連窓方立の切断撤去跡の水密性を確保しつつ既設連窓サッシを新設単窓サッシに改装したものとし，これによってアルミ製連窓方立の切断撤去，バックアップ剤の嵌挿配置，シーリング剤の充填，一体の新設下枠による既設下枠に対する一連の被覆という簡易な構造によって高度な水密性を確保した改装サッシとするようにしたものであって，即ち請求項１に記載の発明を，アルミ製の既設連窓サッシにおける中空の連窓方立を撤去して該既設連窓サッシにカバー工法によって同じくアルミ製の新設単窓サッシを設置した改装サッシにおける下枠装置であって，既設下枠表面の上端から上方に非突出状態に切断撤去することによって既設下枠間に中空部を上向きに開口して残存した上記連窓方立下端部と，該残存した連窓方立下端部の中空部にその開口上端を残すように嵌挿配置したバックアップ材と，該開口上端から中空部のバックアップ材上に充填したシーリング剤と，上記中空の連窓方立下端部を該連窓方立を挟んで配置した両側の既設下枠とともに一連に被覆して配置した新設単窓サッシの新設縦枠間一体の新設下枠とを備えてなることを特徴とする改装サッシの下枠装置としたものである。
【０００７】
請求項２に記載の発明は，上記に加えて，上記改装サッシにおける新設下枠の上方突出高さを可及的に抑制することによって，改装サッシの欠点とされる開口の狭小化を回避し，可及的に開口を広く確保し得るようにした下枠構造とするように，これを，上記カバー工法による改装サッシにおける新設単窓サッシの新設下枠による既設連窓サッシの既設下枠に対する被覆を，上記新設下枠の上端突出高さを既設額縁と略同等乃至これより低くする新設下枠の突出高さ吸収措置を施して行ってなることを特徴とする請求項１に記載の改装サッシの下枠装置としたものである。
【０００８】
請求項３に記載の発明は，同じく上記に加えて，上記新設下枠の突出高さ吸収を，新設下枠を下枠本体と先行配置用のブラケットとによる２部材構成とし，既設額縁にブラケットを先行配置し，該ブラケットの室外側下位の支持条に下枠本体の室内側部分を載置固定する一方，室外側下端を既設下枠に固定することによって，新設下枠の既設下枠に対する被覆を既設額縁より下位にして水平に行うようにして，改装工事の煩雑化を齎すことなくその効率化をなし得るものとするように，これを，上記新設下枠の突出高さ吸収措置を，上記新設下枠を，下枠本体と，室内側上位の額縁載置条及び室外側下位の支持条を具備したブラケットとの室内外幅方向に２部材構成とするとともにブラケットの額縁載置条を直接又は既設下枠既存の額縁載置条を介して既設額縁に載置固定する一方，該ブラケットの室外側下位の支持条上に下枠本体の幅方向室内側部分を載置固定し且つ該新設下枠の室外側下端部位を既設下枠又はその躯体に対接固定することによって既設下枠に対する新設下枠の被覆を水平に行ってなることを特徴とする請求項２に記載の改装サッシの下枠装置としたものである。
【０００９】
請求項４に記載の発明は，同じく上記に加えて，上記連窓方立の切断撤去を，可及的に簡易になし得るようにして改装工事の効率化に資するものとするように，これを，上記連窓方立の切断撤去を，既設下枠の表面上端に沿って行ってなることを特徴とする請求項１，２又は３に記載の改装サッシの下枠装置としたものである。
【００１０】
請求項５に記載の発明は，同じく上記に加えて，上記連窓方立の切断撤去を好ましい形態のものとするように，これを，上記既設下枠の表面上端に沿った切断撤去を，既設下枠の室外側先端とその室内側に位置する突出レールの上端を通過して既設下枠の額縁載置条に至る線に沿って行ってなることを特徴とする請求項４に記載の改装サッシの下枠装置としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，既設の連窓方立を撤去するについて，目板ごと又は目板を外した本体を既設下枠の上端から上方に非突出状態とするように切断撤去して，中空部を上向きに開口した下端部を既設下枠間に残存するとともに該残存した下端部の中空部にバックアップ材を嵌挿配置し且つ該バックアップ材上にシーリング剤を充填することによって，該中空部を密封するように封止し，該封止状態でその両側の既設下枠を，新設単窓サッシの新設縦枠間に一体の新設下枠によって一連に被覆することにより，構造が簡易にして改装工事を可及的効率的になし得るようにするとともに連窓方立撤去跡の高度な水密性を確保しながら，アルミ製の既設連窓サッシを同じくアルミ製の新設単窓サッシに改装することが可能な改装サッシの下枠装置を提供することができる。
【００１３】
請求項２に記載の発明は，上記に加えて，上記改装サッシにおける新設下枠の上方突出高さを可及的に抑制することによって，改装サッシの欠点とされる開口の狭小化を回避し，可及的に開口を広く確保し得るようにした下枠構造とすることができる。
【００１４】
請求項３に記載の発明は，同じく上記に加えて，上記新設下枠の突出高さ吸収を，新設下枠を下枠本体と先行配置用のブラケットとによる２部材構成とし，既設額縁にブラケットを先行配置し，該ブラケットの室外側下位の支持条に下枠本体の室内側部分を載置固定する一方，室外側下端を既設下枠に固定することによって，新設下枠の既設下枠に対する被覆を既設額縁より下位にして水平に行うようにして，改装工事の煩雑化を齎すことなくその効率化をなし得るものとすることができる。
【００１５】
請求項４に記載の発明は，同じく上記に加えて，上記連窓方立の切断撤去を，可及的に簡易になし得るようにして改装工事の効率化に資するようにしたものとすることができる。
【００１６】
請求項５に記載の発明は，同じく上記に加えて，上記連窓方立の切断撤去を好ましい形態のものとすることができる。
【発明を実施するための最良の形態】
【００１７】
以下図面の例に従って本発明を更に具体的に説明すれば，Ａは改装サッシであり，該改装サッシＡは，アルミ製にして既設上枠１１，既設縦枠１２，既設下枠１３及び既設連窓方立２０とを備えた既設連窓サッシ１を，その中空の連窓方立２０を撤去して該既設連窓サッシ１にカバー工法によって同じくアルミ製にして新設上枠３１，新設縦枠３５及び新設下枠４０を備えた新設単窓サッシ３０を設置したものとしてあり，このときその下枠の構造は，既設下枠１３表面の上端から上方に非突出状態に切断撤去することによって既設下枠１３間に中空部を上向きに開口して残存した上記連窓方立下端部２３と，該残存した連窓方立下端部２３の中空部にその開口上端を残すように嵌挿配置したバックアップ材６０と，該開口上端から中空部のバックアップ材６０上に充填したシーリング剤６１と，上記中空の連窓方立下端部２３を該連窓方立２０を挟んで配置した両側の既設下枠１３とともに一連に被覆して配置した新設単窓サッシ３０の新設縦枠３５間一体の新設下枠４０とを備えたものとしてある。またその上枠の構造は，同じく既設上枠１２表面の上端から下方に非突出状態に切断撤去することによって既設上枠１２間に中空部を下向きに開口して残存した上記連窓方立上端部２４と，該残存した連窓方立上端部２４の中空部を塞ぐように配置した塞ぎ材６３と，上記中空の連窓方立上端部２４を該連窓方立２０を挟んで配置した両側の既設上枠１２とともに一連に被覆して配置した新設単窓サッシ３０の新設縦枠３５間一体の新設上枠３１とを備えたものとしてあり，これによって既設方立２０は該新設下枠１２と新設下枠１３とによってその痕跡を残さないように上記一連に被覆したものとしてある。
【００１８】
既設連窓サッシ１の上記既設下枠１３は，例えば室外側に向けて下向きの傾斜面又は階段状をなす下枠基板１４と，該下枠基板１４の室内側に断面逆Ｌ字状に起立して上端に額縁載置条１６を有する起立条１５と，上記下枠基板１４に起立して引違い戸を開閉案内する内外一対の突出レール１７と，下枠基板１４から室外側に下方段差状に突出して先端に網戸レール１８を起立した突出条１９とを備え，上記額縁載置条１６を室外側の既設額縁２５に引掛固定する一方，下枠基板１６下面のアンカー固定条を図示省略のアンカーに係止することによってコンクリート躯体に埋込状に固定したものとしてあり，このとき該既設下枠１３の長手方向中間位置，本例にあっては中央位置に既設連窓方立２０を備え，該連窓方立２０は，両側面の外側面に室内外側にそれぞれ複数の突条，その内側面に突出方向先端にスナップイン係止条を有するそれぞれ単一の突条を，室外端の開口端部に対向するスナップイン係止条を備えた中空にしてスナップイン係止条間を開放した方立本体２１と，該スナップイン係止条に係止することによって開口を塞ぐとともに室外側正面を化粧した目板２２とを備えたものとしてある。
【００１９】
該既設連窓サッシ１は，その連窓方立２０を切断撤去し，カバー工法によって新設単窓サッシ３０を被覆設置してその改装を行ったものとしてあり，このとき本例の上記カバー工法による改装サッシＡにおける新設単窓サッシ３０の新設下枠４０による既設連窓サッシ１の既設下枠１３に対する被覆は，これを，上記新設下枠４０の上端突出高さを既設額縁２５と略同等乃至これより低くする新設下枠４０の突出高さ吸収措置を施して行ったものとしてあり，本例にあって該新設下枠４０の突出高さ吸収措置は，これを，上記新設下枠４０を，下枠本体４１と，室内側上位の額縁載置条５２及び室外側下位の支持条５３を具備したブラケット５１との室内外幅方向に２部材構成とするとともにブラケット５１の額縁載置条５２を直接又は既設下枠１３既存の額縁載置条１６を介して既設額縁２５に載置固定する一方，該ブラケット５１の室外側下位の支持条５３上に下枠本体４１の幅方向室内側部分を載置固定し且つ該新設下枠４０の室外側下端部位を既設下枠１３又はその躯体に対接固定することによって既設下枠１３に対する新設下枠４０の被覆を水平に行ったものとしてある。
【００２０】
即ち本例にあって既設下枠１３は，これを，その上記突出レール１７を含めてそのまま残存し，上記下枠本体４１とブラケット５１の２部材構成によって，該新設下枠４０の最大突出位置が，既設下枠１３の最大突出位置，即ち既設額縁１６に引掛固定した既設下枠１３における起立条１５における額縁載置条１６の高さと略同等，例えば最大数ｍｍ程度突出する高さとなるようにし，例えば既設下枠１３の額縁載置条１６が既設額縁２５の室外側に切欠形成した段部上に位置するようにしたケースにあっては，該既設額縁２５の上面より該新設下枠４０の最大突出位置が数ｍｍ乃至それ以上低くなるようにしてあり，これによって窓開口の下端が既設額縁２５から面内方向に突出して窓開口を狭小化を防止，即ち開口高さの狭まりを防止してある。
【００２１】
本例にあって該新設下枠４０の上記下枠本体４１は，下枠基板４２と，該下枠基板４２にそれぞれ上向き同長に起立して同一高さとした内外一対の突出レール４３及び該突出レール４３間と室内側において各障子に対接する気密材を設置する上端の気密材受を室外側に向けて開口して上記内外一対の突出レール４３と同一高さに起立した２条の気密条４４と，上記内外一対のうち室内側の突出レール４３とその室内側の気密条４４の下位に位置するように下方に向けて短寸同長に突出した内外一対の載置用脚部４５と，下枠基板４２の中間部から既設下枠１３の室外側を覆うように下方に向けて傾斜突出し且つ下端に対接固定部４７を設置した下向き突片４６とを備えたものとしてあり，このとき本例にあって上記内外一対のうち室外側の載置用脚部４５と下向き突片４６に上記枠組み用のタッピングホールを，また下向き突片４６の下部にして上記対接固定部４７近傍に室外側に向けてＬ字状に突出した網戸レール４８とを備えたものとしてある。
【００２２】
上記下枠基板４１は，室内外に向けて水平に形成し又はこれに小段差を付した基板部と，該基板部を連結する中間の連結部を一体に形成した水平の基板として基板強度を確保するとともに上記下向き突片４６を室外側の基板部下面から突出することにより，上記室内側の突出レール４３と気密条４４の下位に配置した室内外一対の載置用脚部４５と相俟って，下枠基板４２の剛性を高度に確保し，該下枠基板４２が障子荷重を支承するに相応しい強度を備えたものとしてある。
【００２３】
本例にあって上記ブラケット５１は，これを，上記額縁載置条５２と支持条５３に加えて，既設額縁２５室外側側面に沿う側面起立条５４を備えることによって断面Ｓ字状に形成してあり，該側面起立条５４を既設下枠１３の起立条１５に重合して既設額縁２５室外側側面に添設又は固定，本例にあっては添設した上記新設下枠４０と略同長の長尺一体のものとしてあり，本例にあって該ブラケット５１は，室内側の水平の額縁載置条５２と，室外側に該額縁載置条５２と段差をなすように下位に位置した同じく水平の支持条５３と，これらの間を垂直に連結する上記側面起立条５４とを備えて上記断面Ｓ字状にして下枠本体と同様にアルミ製のものとしてある。このとき本例のブラケット５１は，上記額縁載置条５２の下面に複数のリブを突出し，その室外側において下向き突条によって水返しを，その室内側において既設下枠１３との間で気密性を確保する気密材受をそれぞれ形成してあり，また該額縁載置条５２の前後方向中間位置の上面に突出リブ，本例にあってはその室内側の面を傾斜して，後述の載置用脚部４５の位置決めを行う該載置用脚部４５の挟持用の突出リブを備えたものとしてある。
【００２４】
このように形成した下枠本体４０とブラケット５１からなる新設下枠４０を用いた本例のサッシ改装は，既設連窓サッシ１の中空の連窓方立２０ごと切断撤去するか，またはその目板２２をそのスナップイン係止条の係止を外すように除去してから，該連窓方立２０，目板を除去したときはその方立本体２１を切断撤去し，水密措置としてその残存した連窓方立下端部２３に対する上記バックアップ材６０の嵌挿配置と，シーリング剤６１の充填とを行って，該連窓方立２０位置を挟んだ両側の既設下枠１３を一体の新設下枠４０によって被覆することによって行ったものとしてあり，本例にあって該連窓方立２０の切断撤去は，これを，既設下枠１３の表面上端に沿って行ったものとして，その連窓方立下端部２３が，上記既設下枠１３表面の上端から上方に非突出状態となるようにしてあり，また本例の該切断撤去は，これを，既設下枠１３の室外側先端とその室内側に位置する突出レール１７の上端を通過して既設下枠１３の額縁載置条１６に至る線に沿って行ったものとしてあり，本例における該切断撤去は，内外一対の突出レール１７の上端を結び且つ下枠基板から断面逆Ｌ字状に起立した起立条１５の額縁載置条１６の室外端に至る線に沿って，例えばＬ字状をなすようにアルミ切断用のカッターを用いて切断したものとしてあり，これによって該突出レール１７上にカッターを配置することにより該突出レール１７を切断ガイドとしてその切断を可及的簡易に行い得るようにしたものとしてある。このとき網戸レール１８を有する本例の既設下枠１３にあっては，連窓方立２０が該網戸レール１８に至るように位置していることが一般であるから，連窓方立２０の切断は室外側の突出レール１７から網戸レール１８に至る部分についてもこれを行うことが必要となるところ，該切断は，上記内外一対のうち室外側の突出レール１７と該網戸レール１８を直接に結ぶ傾斜線によって切断すること，室外側の突出レール１７位置から室外側に向けて，新設下枠４０の設置を妨げないように，例えばその断面形状に沿って切断して，上記下向き突片４６の逃げスペースを形成すること，また網戸レール１８から水平に室外側の突出レール１７に至るように切断することが可能であり，図示したものにあっては，これらのうちから，例えば網戸レール１８から水平に室外側の突出レール１７に至るように切断したものとしてある。
【００２５】
連窓方立２０の切断撤去によって該連窓方立２０位置にはその両側の既設下枠１３間に該中空の連窓方立２０の下端部２３が残存するところ，本例にあっては，該残存した連窓方立下端部２３が，その幅方向両側面において既設下枠１３の下枠基板１４の端部を突出レール１７高さに至る側壁を形成し，また背面において額縁載置条１６の高さ位置に至り，上記網戸レール１８に至るか又は新設下枠４０の断面形状に沿って先端に傾斜部を形成した背壁をなしてその中空部を上向き開口したものとなり，このとき上記目板２１を外した本例においては正面にスナップイン係止条間を空けて平面Ｃ字状を呈して同じく上向き開口したものとなる。
【００２６】
バックアップ材６０は，例えば独立気泡の発泡樹脂材によるものとしてそれ自体水浸透性がなく嵌挿配置することによって防水性を確保し得る材質のものを用い，シーリング剤充填スペースを上面に残して連窓方立下端部２３を閉塞するものとしてあり，本例にあって該バックアップ材６０は，その外形を該連窓方立下端部の中空部形状に合せるとともにその上面を水平とした正面側を低く同じく水平の段差面とした厚肉ブロック状のものを用いてある。
【００２７】
該バックアップ材６０は，これを上記連窓方立下端部２３に落し込むように嵌挿配置し，該バックアップ材６０上にシーリング剤６１を供給して，該シーリング剤６１が連窓方立下端部２３の内壁とバックアップ材６０上に充分に行き亘ってこれらの間を封止するようにその充填を行い，これによって連窓方立２０を切断撤去して残存した連窓方立下端部２３を閉塞することによって，該切断撤去跡の水密措置を施し，これによってそれ自体の水密性を確保したものとしてある。
【００２８】
バックアップ材６０の嵌挿配置とシーリング剤６１充填を行った連窓方立下端部２３は，該連窓方立２０を挟んで配置した両側の既設下枠１３とともに一体の新設下枠４０によって一連に被覆したものとしてあり，本例にあって上記下枠本体４１とブラケット５１の２部材構成とした本例の新設下枠４０による被覆は，ブラケット５１を既設額縁，特に開口下位の既設額縁１６に先行配置して該ブラケット５１によって新設下枠４０の下枠基板４１を支持するように行うものとしてあり，このときブラケット６０の先行配置は該ブラケット６０を単独で既設額縁１６に設置するも，新設下枠４０は，常法に従って新設単窓サッシ３０のサッシ枠を枠組みして既設連窓サッシ１の上記連窓方立２０を切断撤去した開口に嵌め込むように，該サッシ枠の一部をなす下枠としてその設置を行うようにしてある。
【００２９】
即ちブラケット５１の額縁載置条５２を既設額縁２５に直接，既設下枠１３の既存額縁載置条１６が既に既設額縁２５に存在するときにはこれを介して既設額縁２５に間接的にそれぞれ載置固定し，本例にあっては側面起立条５４を既設額縁２５の室外側側面に添設して，該ブラケット６０の既設額縁２５から室外側に突出し，既設下枠１３における室内側の突出レール１７上に位置するように配置される支持条５３に下枠本体４１の幅方向室内側部分，本例にあってはその上記室内外一対の載置用脚部４５を載置固定し且つ下枠本体４０の室外側下端部位，即ち上記対接固定部４７を，既設下枠１３における室外側端部，本例にあっては既設下枠１３の網戸レール１８に対接固定することによってその設置を行ってある。
【００３０】
このとき上記額縁載置条５２の既設額縁２５への載置固定は，該額縁載置条５２の上面から既設額縁２５に対して長手方向所定間隔のネジ６２を螺入してこれを行うとともに該ネジ６２の固定によって側面起立条５４を既存下枠１３の室内側起立条１５に重合させてその添設を行うものとしてある。上記支持条５３への下枠本体４０の載置は，支持条５３に下枠本体４０を載せることによって該支持条５３の上記突出リブ５６がその室内側の載置用脚部４５を引掛状として，側面起立条５４との間で該載置用脚部４５を挟持することによって，下枠本体４０の定位置設置の位置決めとズレ防止を行うようにしてある。
【００３１】
下枠本体４０の載置固定は，該定位置の載置状態で，下枠基板４２の上面，本例にあってはその上記室内側の基板部の上面から支持条５３に対して同じく長手方向所定間隔のネジ６２を螺入して，これを行うようにすればよく，また下枠本体４０の室外側下端部位の既設下枠１３への対接固定は，その対接固定部４７の室外側から既設下枠１３の網戸レール１８に対して同じく長手方向所定間隔のネジ６１を螺入してこれを行えばよく，これによって既設連窓サッシ１の下枠は，カバー工法によって新設単窓サッシ３０に改装した改装サッシＡの新設下枠４０とすることができる。
【００３２】
なお上記上枠にあっては，例えば上記塞ぎ材６３を連窓方立２０の横幅より幾分長くした断面C字状にしてアルミ押出材を切断したものとし，該塞ぎ材６３を，既設上枠１２の下向きレール間に跨り配置して，上記下向きに開口して残存した連窓方立上端部２４を塞ぐとともにその前後の起立片６４を，例えば図示省略のネジによってネジ止めすることによってその塞ぎ固定を行い，上記新設上枠３１を設置したものとしてある。
【００３３】
因みに既設連窓サッシ１から新設単窓サッシ３０への改装サッシＡの改装方法は，例えば，既設連窓サッシ１の連窓方立２０を，上記の如く目板２２とともに又は目板２２を外して切断撤去する連窓方立切断撤去工程と，下枠にあって，該切断撤去工程によって残存した上記連窓方立下端部２３にバックアップ材６０を嵌挿配置し且つシーリング剤６１を充填し，また上枠にあって同じく残存した上記連窓方立上端部２４を塞ぎ材６３によって閉塞するそれぞれの連窓方立閉塞封止工程と，新設単窓サッシ３０として枠組みしたサッシ枠を既設連窓サッシ１の開口に嵌め込んで，その新設上枠３１を上記チャンネル材３２を介して，その新設下枠４１を上記のとおり室内外においてそれぞれ固定する新設下枠被覆工程とを備えることによってこれを行うものとしてあり，このとき既設上枠１２及び既設下枠１３は，これをそのまま残存することにより，連窓方立２０の切断撤去以外に，例えば既設下枠１３に対する加工を必要とすることなく，改装サッシの欠点とされる開口の狭小化を回避し，可及的に開口を広く確保しつつ，簡易且つ確実に短時間のサッシ改装を行うことが可能となる。
【００３４】
図中３２，３６は，新設上枠３１，新設縦枠３５による改装用に既設上枠１１，既設縦枠１２に設置したチャンネル材，３３，３７はこれらチャンネル材３２，３６と新設上枠３１，新設縦枠３５との連結金具，３４，３８は新設上枠３１，新設縦枠３５の室内側に配置したアルミ製の化粧額縁，５０は，新設下枠４１，本例にあっては下枠本体４１の室外側に，例えば倒Ｌ字状に突出し，下向きの突条を備え，強風下においても下枠基板４２に透設した水抜孔から該下枠基板４２上に至った雨水を排出し得るように，上記下向き突片４６との間に排水空間を形成する排水促進用のフィンを示す。
【００３５】
図示した例は以上のとおりとしたが，上記新設下枠の上端突出高さを既設額縁と略同等乃至これより低くする新設下枠の突出高さ吸収措置は，これを，例えば既設下枠の下枠基板上に起立した突出レールを切断除去するか又は内外方向に転倒し，該突出レール高さ分のスペースを確保するとともに該スペースに室外側に向けて傾斜し又は段差をなす新設サッシの下枠基板を配置することによってこれを行うようにした該スペースの活用によるものとすること，既設連窓サッシの切断除去を，既設下枠の下枠基板より高い位置にしてその突出レールより定位置とするように行うこと，新設下枠における下枠本体室外側の固定を，上記既設下枠の網戸レール以外の部位又は該既設下枠を設置した躯体に対して行うようにすること，該下枠本体の室内側のブラケットの支持条への載置固定を，その下枠基板を直接に載置しネジ固定する等して，下枠基板における室内側部位の直接の載置固定によって行うようにすること，上記上枠の構造における連窓方立上端部の中空部を塞ぐように配置した塞ぎ材の設置を省略し，該連窓方立上端部の中空部を直接に新設上枠で被覆するように新設上枠を設置すること等を含めて，既設連窓サッシ，その連窓方立，既設下枠，新設単窓サッシ，その新設下枠，バックアップ材，シーリング剤，必要に応じて使用する新設下枠の下枠本体及びブラケット等の各具体的形状，構造，材質，これらの関係，これらに対する付加，改装の具体的方法等は，上記発明の要旨に反しない限り様々の形態のものとすることができ，以上に開示したものに限定するには及ばない。
【図面の簡単な説明】
【００３６】
【図１】改装サッシの構造を示す縦断面図である。
【図２】改装サッシの構造を示す横断面図である。
【図３】既設連窓サッシの既設下枠と連窓方立の関係を示す部分斜視図である。
【図４】既設連窓サッシの既設連窓方立を切断撤去した状態を示す下枠の部分斜視図である。
【図５】図４の既設連窓方立下端部とバックアップ材との関係を示す部分斜視図である。
【図６】バックアップ材とシーリング剤の関係を示す部分斜視図である。
【図７】既設連窓サッシの既設連窓方立を切断撤去した状態を示す上枠の部分斜視図である。
【図８】図７の既設連窓方立上端部と塞ぎ材との関係を示す部分斜視図である。
【符号の説明】
【００３７】
Ａ  改装サッシ
１  既設連窓サッシ
１１  既設上枠
１２  既設縦枠
１３  既設下枠
１４  下枠基板
１５  起立条
１６  額縁載置条
１７  突出レール
１８  網戸レール
１９  突出条
２０  既設連窓方立
２１  方立本体
２２  目板
２３  連窓方立下端部
２４  連窓方立上端部
２５  既設額縁
３０  新設単窓サッシ
３１  新設上枠
３２  チャンネル材
３３  連結金具
３４  化粧額縁
３５  新設縦枠
３６  チャンネル材
３７  連結金具
３８  化粧額縁
４０  新設下枠
４１  下枠本体
４２  下枠基板
４３  突出レール
４４  起立条（室内側，室外側）
４５  載置用脚部
４６  下向き突片
４７  対接固定部
４８  網戸レール
５０  雨除けフィン
５１  ブラケット
５２  額縁載置条
５３  支持条
５４  側面起立条
５５  突出条
５６  突出リブ
６０  バックアップ材
６１  シーリング剤
６２  ネジ
【図１】
2008063725.tif 000003
【図２】
2008063725.tif 000004
【図３】
2008063725.tif 000005
【図４】
2008063725.tif 000006
【図５】
2008063725.tif 000007
【図６】
2008063725.tif 000008
【図７】
2008063725.tif 000009
【図８】
2008063725.tif 000010